(57)【要約】【課題】反射シートのガタ付きを防止するとともに、表示領域への異物の侵入を抑制することが可能なバックライトユニットおよび液晶表示装置を提供する。【解決手段】バックライトユニットは、光源１００と、下面２１０および側面２２０を有し、光源１００の光が入射される導光板２００と、導光板２００の下面２１０を覆う第１部分３１０、導光板２００の側面２２０を覆う第２部分３２０、および第２部分３２０と連なる第３部分３３０を有する反射シート３００と、光源１００、導光板２００、ならびに第１部分３１０および第２部分３２０を収納する下部フレーム４００と、第３部分３３０上に設けられた上部フレーム５００とを備える。上記第３部分３３０は、下部フレーム４００と上部フレーム５００とに挟持される。【選択図】図５
2013239335.tif 000002
【特許請求の範囲】
【請求項１】
光源と、
下面および側面を有し、前記光源の光が入射される導光板と、
前記導光板の下面を覆う第１部分、前記導光板の側面を覆う第２部分、および前記第２部分と連なる第３部分を有する反射シートと、
前記光源、前記導光板、ならびに前記第１部分および前記第２部分を収納する第１フレームと、
前記第３部分上に設けられた第２フレームとを備え、
前記第３部分は、前記第１フレームと前記第２フレームとに挟持される、バックライトユニット。
【請求項２】
前記第１フレームは、前記導光板の側面に対向する側壁を含み、
前記第２フレームは、前記側壁の外側の少なくとも一部を覆う側部を有し、
前記反射シートは、
前記第１部分と前記第２部分との間に第１折り曲げ部を有し、
前記第２部分と前記第３部分との間に第２折り曲げ部を有する、請求項１に記載のバックライトユニット。
【請求項３】
前記第１フレームは、長辺と短辺とを含む矩形形状を有し、
前記第３部分は、前記短辺における少なくとも１辺上に配置される、請求項１または請求項２に記載のバックライトユニット。
【請求項４】
前記第１フレームは、互いに対向する第１辺および第２辺を含む矩形形状を有し、
前記第３部分は、前記第１辺上および前記第２辺上に配置される、請求項１ないし請求項３のいずれかに記載のバックライトユニット。
【請求項５】
前記第１フレームは、前記導光板の側面に対向する側壁を含むとともに、互いに対向する第１辺および第２辺を含む矩形形状を有し、
前記第３部分は、前記第１辺上に配置され、
前記第２辺上において、前記第２部分が、前記側壁の内側に固定される、請求項１ないし請求項３のいずれかに記載のバックライトユニット。
【請求項６】
前記第１フレームは、矩形形状を有し、
前記第３部分は、前記矩形形状に含まれる少なくとも１辺上の全体に亘って連続して配置される、請求項１ないし請求項５のいずれかに記載のバックライトユニット。
【請求項７】
前記第１フレームは、矩形形状を有し、
前記第３部分は、前記矩形形状に含まれる少なくとも１辺上において、互いに離間した複数の突出部を有する、請求項１ないし請求項５のいずれかに記載のバックライトユニット。
【請求項８】
前記第１フレームは、前記導光板の側面に対向する側壁を有し、
前記第２フレームは、前記側壁の外側の少なくとも一部を覆う側部を有し、
前記反射シートは、
前記第３部分に連なる第４部分と、
前記第３部分と前記第４部分との間に形成された第３折り曲げ部とを有し、
前記第４部分は、前記側壁の外側に沿って配置され、前記側部と前記側壁とに挟持される、請求項１ないし請求項７のいずれかに記載のバックライトユニット。
【請求項９】
前記第２フレームの側部は、前記第１フレームの側壁に向かう突起部を有し、
前記第４部分は、前記突起部と前記側壁とに挟持される、請求項８に記載のバックライトユニット。
【請求項１０】
前記第１フレームは、前記導光板の側面に対向する側壁を有し、
前記反射シートは、
前記第３部分に連なる第５部分と、
前記第３部分と前記第５部分との間に形成された第４折り曲げ部とを有し、
前記５部分は、前記側壁の内側に当接する、請求項１ないし請求項９のいずれかに記載のバックライトユニット。
【請求項１１】
液晶パネルと、
請求項１ないし請求項１０のいずれかに記載のバックライトユニットとを備えた、液晶表示装置。
【発明の詳細な説明】
【技術分野】
【０００１】
本発明は、バックライトユニットおよび液晶表示装置に関する。
【背景技術】
【０００２】
液晶表示装置は、電子装置、たとえば携帯電話装置、デジタルカメラ、携帯ゲーム機、カーナビゲーションシステム、パーソナルコンピュータ、および薄型テレビジョンなどに設けられる。液晶表示装置は、自発光機能を持たない表示装置であり、液晶表示パネルと液晶表示パネルの背面から光を照らすバックライトとを備える。バックライトとしては、導光板のエッジ部に光源を設けるエッジライト型バックライトと、表示画面の直下に光源を設ける直下型バックライトとが用いられている。
【０００３】
エッジライト型バックライトは、導光板のエッジ部から入射させた光を、導光板によって表示領域内で均一になるように拡散させて、一方の主面から出射させる方式である。このようなエッジライト型バックライトは、導光板の他方の主面側に載置された反射シートと、一方の主面である出射面側に載置された拡散シートと、拡散シート上に配置された２枚のプリズムシートと、フレームとを備える。
【０００４】
フレームとしては、一般的には射出成形から形成された樹脂フレームが多用されている。
【０００５】
液晶表示装置は、室内環境下のみならず、室外環境下においてもたとえば広告媒体として使用されることがある。室外環境下において、液晶表示装置は、人間が歩行する際に発生する振動、風により発生する振動等、液晶表示装置外部からの振動による影響を受けやすい。
【０００６】
さらに、カーナビゲーションシステムに搭載されている液晶表示装置は、自動車内に設置されており、自動車走行時に発生する振動による影響を受けやすい。
【０００７】
そこで、近年においては、振動の影響により液晶表示装置がガタ付くことで発生する異音を抑制するための手法が各種提案されている。たとえば、特開２００９−２２９９６４号公報（特許文献１）に記載された液晶表示装置は、液晶表示装置と、液晶表示パネルの背面側から液晶表示パネルを保持する保持部材（１２）と、液晶表示装置の前面から保持部材（１２）に係合するカバー部材（１６）とを備える。
【０００８】
保持部材（１２）とカバー部材（１５）とは、互いに係合する方向の少なくとも一部が相互に当接して係合している。
【先行技術文献】
【特許文献】
【０００９】
【特許文献１】特開２００９−２２９９６４号公報
【発明の概要】
【発明が解決しようとする課題】
【００１０】
特許文献１に記載の液晶表示装置では、カバー部材（１６）と保持部材（１２）との間のガタ付きを防止することはできる。
【００１１】
しかし、特許文献１に記載の液晶表示装置では、反射シートのガタ付きについては考慮されておらず、反射シートとカバー部材（１６）または保持部材（１２）とが接触して異音を発生させる場合がある。
【００１２】
また、特許文献１に記載の液晶表示装置においては、光源を制御するフレキシブルプリント回路（FPC:  Flexible Printed Circuit）等を引き出すために保持部材（１２）に設けられた隙間よりバックライトユニット内へ異物が侵入することがある。また、バックライトユニットの組み立て時に、バックライトユニット内へ異物が侵入することもある。特許文献１に記載の発明では、上記の異物が表示領域へ侵入することについては考慮されておらず、異物による表示不良が発生する場合がある。
【００１３】
本発明は、上記のような課題に鑑みてなされたものであって、その目的は、反射シートのガタ付きを防止するとともに、表示領域への異物の侵入を抑制することが可能なバックライトユニットおよび液晶表示装置を提供することである。
【課題を解決するための手段】
【００１４】
本発明に係るバックライトユニットは、光源と、下面および側面を有し、光源の光が入射される導光板と、導光板の下面を覆う第１部分、導光板の側面を覆う第２部分、および第２部分と連なる第３部分を有する反射シートと、光源、導光板、ならびに第１部分および第２部分を収納する第１フレームと、第３部分上に設けられた第２フレームとを備える。上記第３部分は、第１フレームと第２フレームとに挟持される。
【００１５】
好ましくは、上記第１フレームは、導光板の側面に対向する側壁を含む。上記第２フレームは、側壁の外側の少なくとも一部を覆う側部を有する。上記反射シートは、第１部分と第２部分との間に第１折り曲げ部を有し、第２部分と第３部分との間に第２折り曲げ部を有する。
【００１６】
好ましくは、上記第１フレームは、長辺と短辺とを含む矩形形状を有する。上記第３部分は、短辺における少なくとも１辺上に配置される。
【００１７】
好ましくは、上記第１フレームは、互いに対向する第１辺および第２辺を含む矩形形状を有する。上記第３部分は、第１辺上および第２辺上に配置される。
【００１８】
好ましくは、上記第１フレームは、導光板の側面に対向する側壁を含むとともに、互いに対向する第１辺および第２辺を含む矩形形状を有する。上記第３部分は、第１辺上に形成され、第２辺上において、第２部分が、側壁の内側に固定される。
【００１９】
好ましくは、上記第１フレームは、矩形形状を有する。１つの例では、上記第３部分は、矩形形状に含まれる少なくとも１辺上の全体に亘って連続して配置される。
【００２０】
。他の例では、上記第３部分は、矩形形状に含まれる少なくとも１辺上において、互いに離間した複数の突出部を有する。
【００２１】
好ましくは、上記第１フレームは、導光板の側面に対向する側壁を有する。上記第２フレームは、側壁の外側の少なくとも一部を覆う側部を有する。上記反射シートは、第３部分に連なる第４部分と、第３部分と第４部分との間に形成された第３折り曲げ部とを有する。上記第４部分は、側壁の外側に沿って配置され、側部と側壁とに挟持される。
【００２２】
好ましくは、上記第２フレームの側部は、第１フレームの側壁に向かう突起部を有する。上記第４部分は、突起部と側壁とに挟持される。
【００２３】
好ましくは、上記第１フレームは、導光板の側面に対向する側壁を有する。上記反射シートは、第３部分に連なる第５部分と、第３部分と第５部分との間に形成された第４折り曲げ部とを有する。上記５部分は、側壁の内側に当接する。
【００２４】
本発明に係る液晶表示装置は、液晶パネルと上記バックライトユニットを備える。
【発明の効果】
【００２５】
本発明に係るバックライトユニットおよび液晶表示装置によれば、反射シートのガタ付きを防止するとともに表示領域への異物の侵入を抑制することができる。
【図面の簡単な説明】
【００２６】
【図１】本発明の実施の形態１に係るバックライトユニットを備えた液晶表示装置を示す分解斜視図である。
【図２】図１に示すバックライトユニットの分解斜視図である。
【図３】図１に示すバックライトユニットの平面図である。
【図４】図２に示す反射シートの展開図である。
【図５】図３におけるＶ−Ｖ断面図である。
【図６】比較例１に係るバックライトユニットの断面図である。
【図７】比較例１において、反射シートを折り曲げたときのバラツキを説明する図である。
【図８】比較例１において、振動により反射シートが下部フレームに接触している状態を説明する図である。
【図９】比較例１において、振動により反射シートが上部フレームに接触している状態を説明する図である。
【図１０】比較例２に係るバックライトユニット内への異物の侵入態様を示す図である。
【図１１】比較例２に係るバックライトユニット内における異物の動きを示す図である。
【図１２】比較例３に係るバックライトユニット内における異物の動きを示す図である。
【図１３】比較例４に係るバックライトユニット内における異物の動きを示す図である。
【図１４】本発明の実施の形態１に係るバックライトユニット内における異物の動きを示す図である。
【図１５】本発明の実施の形態１に係る反射シートの膨張、収縮の動きを示す図である。
【図１６】本発明の実施の形態２に係るバックライトユニットの組み立てを説明するための図（組み立て前）である。
【図１７】本発明の実施の形態２に係るバックライトユニットの組み立てを説明するための図（組み立て後）である。
【図１８】本発明の実施の形態３に係る反射シートの展開図である。
【図１９】本発明の実施の形態３に係るバックライトユニットの断面図である。
【図２０】本発明の実施の形態４に係る反射シートの展開図である。
【図２１】本発明の実施の形態４に係るバックライトユニットの断面図である。
【図２２】本発明の実施の形態５に係る反射シートの展開図である。
【図２３】本発明の実施の形態５に係るバックライトユニットの断面図である。
【図２４】本発明の実施の形態６に係るバックライトユニットの断面図である。
【図２５】本発明の実施の形態７に係る反射シートの展開図である。
【図２６】図２５に示す反射シートを折り曲げた後の状態の平面図である。
【図２７】図２６におけるＸＸＶII−ＸＸＶII断面図である。
【発明を実施するための形態】
【００２７】
以下に、本発明の実施の形態について説明する。なお、同一または相当する部分に同一の参照符号を付し、その説明を繰返さない場合がある。
【００２８】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合は、特に記載がある場合を除き、各々の実施の形態の特徴部分を適宜組み合わせることは、当初から予定されている。
【００２９】
（実施の形態１）
図１は、実施の形態１に係るバックライトユニットを備えた液晶表示装置の分解斜視図である。
【００３０】
図１に示すように、液晶表示装置１０は、筐体２０と、筐体２０内に収容されるバックライトユニット３０と、バックライトユニット３０の前面側に配置される液晶表示パネル４０とを備える。
【００３１】
筐体２０は上部フレーム６０と下部フレーム７０とを含む。上部フレーム６０には、液晶表示パネル４０を外部から観察可能なように窓部５０が設けられている。
【００３２】
液晶表示パネル４０は、バックライトユニット３０側に配置されたＴＦＴ４１基板と、ＴＦＴ基板４１に対してバックライトユニット３０と反対側に配置された対向基板４２と、ＴＦＴ４１基板および対向基板４２の間に封入された液晶層とを含む。
【００３３】
ＴＦＴ基板４１と対向基板４２とは、間隔をあけて配置されている。対向基板４２は、ＴＦＴ基板４１と対向する主表面を有するガラス基板と、この主表面上に形成された共有電極と、カラーフィルタとを含む。
【００３４】
図２は、バックライトユニット３０の分解斜視図である。図２に示すように、バックライトユニット３０は、光源１００と、導光板２００と、反射シート３００と、下部フレーム４００と、上部フレーム５００と、複数の光学シート６００とを含む。
【００３５】
導光板２００は、下面２１０、側面２２０および上面２３０を含む。反射シート３００は、導光板の下面２１０および側面２２０を覆うように折り曲げられている。
【００３６】
下部フレーム４００は、長辺と短辺を含む矩形形状を有し、導光板２００の側面２２０に対向する側壁４１０を含む。
【００３７】
下部フレーム４００の長辺側の片側に位置する側壁４１０には、光源１００を含む基板が取り付けられている。基板には、光源１００を制御するフレキシブルプリント回路（FPC:  Flexible Printed Circuit）が設けられており、外部から入力される信号に基づいて、光源１００から導光板２００の側面に向かって光を入射する。
【００３８】
上部フレーム５００は、矩形形状を有し、側部５１０と窓部５２０とを含む。側部５１０は、下部フレーム４００の側壁４１０の少なくとも一部を覆う。
【００３９】
複数の光学シート６００は、拡散シート６１０と、プリズムシート６２０と、プリズムシート６３０とを含む。
【００４０】
図３は、バックライトユニット３０の平面図である。図３に示すように、上部フレーム５００は、矩形形状を有する。上部フレーム５００の窓部５２０から、光学シート６００を見ることができる。
【００４１】
図４は、反射シート３００の展開図である。図４に示すように、反射シート３００は、第１部分３１０と、第２部分３２０と、第３部分３３０と、第１折り曲げ部３１５と、第２折り曲げ部３２５とを含む。
【００４２】
第１部分３１０の長辺側の１辺を除く３辺の外側に、第１部分に連なるように３つの第２部分３２０が形成されている。第１部分３１０の短辺側の２辺の外側に形成された第２部分３２０の外側に、さらに第３部分３３０が２つ形成されている。第３部分３３０は、第２部分３２０に連なって形成されている。
【００４３】
第１折り曲げ部３１５は、第１部分３１０と第２部分３２０との境界に形成されている。第２折り曲げ部３２５は、第２部分３２０と第３部分３３０との境界に形成されている。
【００４４】
光源１００は、第１部分３１０における第２部分３２０が形成されていない側に設けられる。
【００４５】
図５は、図３におけるＶ−Ｖ断面図である。図５に示すように、導光板２００の上面２３０上に、拡散シート６１０と、プリズムシート６２０と、プリズムシート６３０とが配置されている。反射シート３００の第１部分３１０は、導光板２００の下面２１０を覆う。
【００４６】
反射シート３００は、第１折り曲げ部３１５において、導光板２００の側面２２０に略平行になるように折り曲げられる。これにより、反射シート３００の第２部分３２０が形成される。第２部分３２０は、導光板２００の側面２２０および複数の光学シート６００の側面を覆う。
【００４７】
反射シート３００は、第２折り曲げ部３２５において、上部フレーム５００の下面に対して略平行となるように折り曲げられる。これにより、反射シート３００の第３部分３３０が形成される。第３部分３３０は、上部フレーム５００と下部フレーム４００とに挟持されている。
【００４８】
下部フレーム４００は、光源１００（不図示）と、導光板２００と、第１部分３１０および第２部分３２０とを収納する。
【００４９】
（比較例１）
図６は、比較例１に係るバックライトユニットの断面図である。図６は、反射シート１３００の折り曲げ方が正常であるバックライトユニットの構造を示す。図６に示すように、比較例１に係るバックライトユニットは、下面１２１０、側面１２２０および上面１２３０を有する導光板１２００と、第１部分１３１０、第２部分１３２０および第３部分１３３０を含む反射シート１３００と、側壁１４１０を含む下部フレーム１４００と、側部１５１０を含む上部フレーム１５００と、拡散シート１６１０、プリズムシート１６２０およびプリズムシート１６３０を含む複数の光学シート１６００とを含む。
【００５０】
比較例１は、第３部分１３３０が上部フレーム１５００と下部フレーム１４００に挟持されていない点で、本実施の形態１と構成が異なる。図６に示す正常な状態においては、第３部分１３３０と上部フレーム１５００とのクリアランス、および、第３部分１３３０と下部フレーム１４００とのクリアランスが、十分に確保されており、バックライトユニット外の振動の影響により、上部フレーム１５００または下部フレーム１４００に第３部分１３３０が接触することがない。
【００５１】
図７は、反射シート１３００を折り曲げたときのバラツキを説明する図である。図７に示すように、反射シート１３００を第１折り曲げ部１３１５および第２折り曲げ部１３２５で折り曲げる場合に、折り曲げ方にバラツキが発生する。
【００５２】
このバラツキにより、正常時と比較して、第２部分１３２０が導光板１２００の側面１２２０から離れる方向に傾いたり、第３部分１３３０が上部フレーム１５００に近づく方向に傾くことがある。すなわち、正常時と比較して、第３部分１３３０と上部フレーム１５００とのクリアランス、および、第３部分１３３０と下部フレーム１４００とのクリアランスが十分に確保できなくなる。
【００５３】
図８は、振動により、反射シート１３００が下部フレーム１４００に接触している状態を説明する図である。図８においては、バックライトユニットの外部からバックライトユニットに水平方向（図８中の矢印Ａ１方向）の振動が伝達された場合を示す。
【００５４】
図８に示すように、第３部分１３３０は固定されていないため、矢印Ａ１に示す方向に第３部分１３３０が繰り返し移動する。ここで、第３部分１３３０と下部フレーム１４００の側壁１４１０とのクリアランスが十分でないため、第３部分１３３０の移動により、第３部分１３３０が下部フレーム１４００の側壁１４１０に繰り返し接触し、異音が発生する。
【００５５】
図９は、振動により反射シート１３００が上部フレーム１５００に接触している状態を説明する図である。図９においては、バックライトユニットの外部からバックライトユニットに上下方向（図８中の矢印Ａ２方向）の振動が伝達された場合を示す。
【００５６】
図９に示すように、第３部分１３３０は固定されていないため矢印Ａ２に示す方向に第３部分が繰り返し移動する。ここで、第３部分１３３０と上部フレーム１５００の下面とのクリアランスが十分でないため、第３部分１３３０の移動により、第３部分１３３０が上部フレーム１５００の下面に繰り返し接触し、異音が発生する。
【００５７】
たとえば、第１折り曲げ部１３１５および第２折り曲げ部１３２５は、反射シート１３００にミシン目を入れて形成される。上述のように、振動により第１折り曲げ部１３１５および第２折り曲げ部１３２５に応力が負荷された場合には、ミシン目部で反射シート１３００が擦れたり、弾いたりすることで異音が発生する。
【００５８】
バックライトユニットの外部からバックライトユニットに伝達される振動として、たとえば、バックライトユニットを備えたカーナビゲーションシステムが自動車に搭載されている場合における自動車の走行時の振動や、バックライトユニットを備えるタッチパネル付き表示装置において、タッチパネルが押される時に発生する振動がある。
【００５９】
（比較例１と対比した実施の形態１の効果）
実施の形態１に係るバックライトユニット３０では、図５に示すように、第３部分３３０が下部フレーム４００と上部フレーム５００とに挟持されているため、外部からの振動により、第３部分３３０が上部フレーム５００または下部フレーム４００に繰り返し接触することがない。この結果、異音の発生を防止することができる。また、第３部分３３０と、上部フレーム５００または下部フレーム４００の接触を回避するためにクリアランスを十分にとる必要がなくなり、第３部分３３０と上部フレーム５００および下部フレーム４００とのクリアランスを狭くすることができる。
【００６０】
（比較例２）
図１０は、比較例２に係るバックライトユニットにおける異物２８００の動きを説明する図である。図１０に示すように、比較例２に係るバックライトユニットは、下面２２１０、側面２２２０および上面２２３０を有する導光板２２００と、反射シート２３００と、側壁２４１０を含む下部フレーム２４００と、側部２５１０を含む上部フレーム２５００と、拡散シート２６１０、プリズムシート２６２０およびプリズムシート２６３０を含む複数の光学シート２６００とを含む。
【００６１】
比較例２に係る反射シート２３００は、導光板２２００の側面２２２０を覆う部分を有しない点で、実施の形態１と構成が異なる。
【００６２】
下部フレーム２４００には、たとえば光源を制御するフレキシブルプリント回路等を引き出すための穴部２４４０が設けられている。
【００６３】
バックライトユニットが組み立てられた後に、穴部２４４０から矢印Ｂ１の方向に異物２８１０が侵入する場合がある。またバックライトユニットを組み立てる工程で侵入した異物２８２０が表示領域（バックライトユニットにおいて上部フレーム２５００の窓部２５２０に対応する領域）外の部分に残っている場合がある。
【００６４】
上述のように、バックライトユニット内に侵入した異物２８００は、図１１に示すように、バックライトユニットにおいて、外部からの振動により矢印Ｂ２のように移動する。ここで、導光板２２００の側面２２２０を覆う部分が形成されていない場合、異物２８００が表示領域に侵入しやすい。異物２８００が表示領域に侵入すると、異物２８００の影が表示映像に映り込み、表示不良が発生する。また異物２８００周辺で光学シート２６００の厚さが変化し、厚さが変化した部分で表示不良が発生する。
【００６５】
（比較例３）
図１２は、比較例３に係るバックライトユニット内の異物の動きを説明する図である。図１２に示すように、比較例３に係るバックライトユニットは、下面３２１０、側面３２２０および上面３２３０を有する導光板３２００と、第１部分３３１０および第２部分３３２０を含む反射シート３３００と、側壁３４１０を含む下部フレーム３４００と、側部３５１０を含む上部フレーム３５００と、拡散シート３６１０、プリズムシート３６２０およびプリズムシート３６３０を含む複数の光学シート３６００とを含む。
【００６６】
比較例３に係る反射シート３３００は、第２部分３３２０に連なる第３部分が形成されていない点で実施の形態１と構成が異なる。
【００６７】
比較例３においては、反射シート３３００の第２部分３３２０と上部フレーム３５００との間に隙間３９００が形成される。
【００６８】
ここで、外部からの振動により異物３８００が移動すると、振動が弱い場合には、矢印Ｂ３のように異物３８００が反射シート３３００の第２部分３３２０により跳ね返されるが、振動が強い場合には、矢印Ｂ４のように異物３８００が隙間３９００から表示領域側に侵入する。異物３８００が表示領域に侵入すると、異物３８００の影が表示映像に映り込む等の表示不良が発生する。また、異物３８００周辺で、光学シート３６００の厚さが変化し、厚さが変化した部分で表示不良が発生する。
【００６９】
（比較例４）
図１３は、比較例４に係るバックライトユニット内の異物４８００の動きを説明する図である。図１３に示すように、比較例４に係るバックライトユニットは、下面４２１０、側面４２２０および上面４２３０を有する導光板４２００と、第１部分４３１０、第２部分４３２０および第３部分４３３０を含む反射シート４３００と、側壁４４１０を含む下部フレーム４４００と、側部４５１０を含む上部フレーム４５００と、拡散シート４６１０、プリズムシート４６２０およびプリズムシート４６３０を含む複数の光学シート４６００とを含む。
【００７０】
比較例４に係る反射シート４３００は、第３部分４３３０が上部フレーム４５００と下部フレーム４４００とに挟持されておらず、第３部分４４３０と、下部フレーム４４００および上部フレーム４５００との間に隙間４９００が形成されている点において、実施の形態１と構成が異なる。
【００７１】
比較例４においては、外部からの振動により、異物４８００が移動すると、移動した異物４８００は、矢印Ｂ５のように、反射シート４３００の第３部分４３３０および第２部分４３２０により跳ね返る。しかしながら、第３部分４３３０と、下部フレーム４４００および上部フレーム４５００との間に隙間４９００が形成されているため、異物４８００は、矢印Ｂ６のように、表示領域へ侵入することができる。
【００７２】
（比較例２ないし４と対比した実施の形態１の効果）
図１４は、実施の形態１に係るバックライトユニット内における異物の動きを説明する図である。実施の形態１に係るバックライトユニット３０においては、図１４に示すように、バックライトユニット３０において、反射シート３００の第２部分３２０が、導光板２００の側面２２０および光学シート６００の側面を覆い、第３部分３３０は上部フレーム５００と下部フレーム４００とに挟持されている。このため、反射シート３００と上部フレーム４００の間に隙間が形成されておらず、外部からの振動により異物８００が移動しても、矢印Ｂ７のように異物８００が反射シート３００の第３部分３３０または第２部分３２０に跳ね返される。したがって異物８００が表示領域に侵入することを防止することができる。
【００７３】
（膨張、収縮時の動き）
図１５は、実施の形態１に係る反射シート３００の膨張、収縮の動きを示す図である。反射シート３００は周辺雰囲気の温度変化によって、熱膨張または熱収縮する。図１５（ａ）は熱膨張時の反射シート３００の状態を示す。図１５（ｂ）は熱収縮時の反射シート３００の状態を示す。
【００７４】
図１５（ａ）に示すように、反射シート３００が矢印Ａ３に示すように膨張する場合には、第１折り曲げ部３１５が導光板２００の側面２２０から離れる方向に移動し、第２折り曲げ部３２５が導光板２００の側面２２０に近づく方向に移動する。この結果、反射シート３００の熱による伸び量を吸収することができる。
【００７５】
図１５（ｂ）に示すように、反射シート３００が矢印Ａ４に示すように収縮する場合には、第１折り曲げ部３１５が導光板２００の側面２２０に近づく方向に移動し、第２折り曲げ部３２５が導光板２００の側面２２０から離れる方向に移動する。この結果、反射シートの熱による縮み量を吸収することができる。
【００７６】
上述のように、熱膨張時または熱収縮時に第１折り曲げ部３１５および第２折り曲げ部３２５が、適宜移動することで反射シート３００が撓むことを防止することができる。
【００７７】
（実施の形態２）
図１６は、実施の形態２に係るバックライトユニット３０の組み立てを説明するための図（組み立て前）である。
【００７８】
図１６に示すように、反射シート３００の公差や折り曲げ作業のバラツキにより、第３部分３３０が下部フレーム４００の側壁４１０より外側に飛び出す場合がある。
【００７９】
上部フレーム５００を組み立てる時において、上部フレーム５００の側部５１０が下部フレーム４００の側壁４１０に当接するように、上部フレームを矢印Ａ５の方向へ押しつける。次に、上部フレーム５００を下部フレーム４００に対して矢印Ａ６の方向へ押しつける。
【００８０】
図１７は、実施の形態２に係るバックライトユニットの組み立てを説明する図（組み立て後）である。実施の形態２に係るバックライトユニットは、組み立て後の状態において、第２部分３２０が傾斜している点で、実施の形態１と構成が異なる。図１７に示すように、上部フレーム５００の側部５１０が、下部フレーム４００の側壁４１０に沿うように配置されることで、反射シート３００の第３部分３３０が、導光板２００の側面２２０に近づく方向に押し込まれる。
【００８１】
反射シート３００の第３部分３３０が押し込まれる際に、第２折り曲げ部３２５が、導光板２００の側面２２０に近づく方向に移動し、第２部分３２０が傾斜する。
【００８２】
反射シート３００の第３部分３３０は、上部フレーム５００と下部フレーム４００とに挟持される。
【００８３】
上述のように、反射シート３００が、下部フレーム４００から飛び出すように配置された場合でも、上部フレーム５００を組み立てる際に第２折り曲げ部３２５が、適宜移動することができる。この結果、反射シート３００が撓むのを防止することができる。
【００８４】
なお、上記以外の事項については、実施の形態１と同様であるので、詳細な説明は繰り返さない。
【００８５】
（実施の形態３）
図１８は、実施の形態３に係る反射シート３００の展開図である。図１８に示すように、反射シート３００は、第１部分３１０と、第２部分３２０と、第３部分３３０と、第１折り曲げ部３１５と、第２折り曲げ部３２５とを含む。
【００８６】
本実施の形態に係る反射シートは、第３部分３３０が短辺側片側にのみ形成されている点で、実施の形態１の構成と異なる。
【００８７】
図１９は、本実施の形態に係るバックライトユニット３０の断面図である。図１９に示すように、反射シート３００の第３部分３３０が形成されていない側では、第２部分３２０が、下部フレーム４００の側壁４１０の内側に固定されている。側壁４１０の内側に固定された第２部分３２０と下部フレーム４００の側壁４１０との間には、隙間が形成されていない。
【００８８】
第２部分３２０は、たとえば両面テープ等の固定材により下部フレーム４００の側壁４１０に固定される。なお、他方側（図１９中の右側）の断面は、実施の形態１と構成が同一である。
【００８９】
このように、本実施の形態に係るバックライトユニット３０の一方側（図１９の左側）において、第２部分３２０と下部フレーム４００の側壁４１０との間の隙間（図１９の右側における隙間７００）をなくし、表示領域外の面積を小さくすることにより、バックライトユニット３０内に残る異物を減らすことができる。この結果、異物による表示不良を防止することができる。
【００９０】
なお、上記以外の事項については、実施の形態１と同様であるので、詳細な説明は繰り返さない。
【００９１】
（実施の形態４）
図２０は、実施の形態４に係る反射シート３００の展開図である。図２０に示すように、反射シート３００は、第１部分３１０と、第２部分３２０と、第３部分３３０と、第１折り曲げ部３１５と、第２折り曲げ部３２５とを含む。
【００９２】
本実施の形態に係る反射シート３００は、第３部分３３０が互いに離間した２つの突出部３３１を有する点で、実施の形態１と構成が異なる。
【００９３】
図２１は、本実施の形態に係るバックライトユニット３０の断面図である。本実施の形態に係るバックライトユニット３０において、下部フレーム４００の１辺の全体に亘って第３部分３３０が上部フレーム５００と下部フレーム４００とに挟持されず、第３部分３３０の突出部３３１のみが、上部フレーム５００と下部フレーム４００とに挟持される。  
【００９４】
なお、上記以外の事項については、実施の形態１と同様であるので、詳細な説明は繰り返さない。
【００９５】
（実施の形態５）
図２２は、実施の形態５に係る反射シート３００の展開図である。本実施の形態に係る反射シート３００は、第３部分３３０の外側に第４部分３４０が形成されている点で、実施の形態１と構成が異なる。第３部分３３０と第４部分３４０との境界には、第３折り曲げ部３３５が形成される。
【００９６】
図２３は、本実施の形態に係るバックライトユニット３０の断面図である。図２３に示すように、本実施の形態に係るバックライトユニット３０では、反射シート３００は、第３折り曲げ部３３５で折り曲げられ、第４部分３４０は、下部フレーム４００の側壁４１０の外側に沿って配置され、上部フレームの側部５１０と下部フレームの側壁４１０とに挟持される。
【００９７】
第３部分３３０だけでなく、第４部分３４０を上部フレーム５００の側部５１０と下部フレーム４００の側壁４１０とで固定することにより、実施の形態１と比較して反射シート３００の固定を強固にすることができる。
【００９８】
たとえば、下部フレーム４００の側壁４１０が薄い場合や、設計上の制約により、上部フレーム５００と下部フレーム４００の側壁４１０の上面とで第３部分３３０を十分に固定することができない場合において、反射シート３００を確実に固定することができ、異音の発生および表示領域への異物の侵入を防止することができる。
【００９９】
なお、上記以外の事項については、実施の形態１と同様であるので、詳細な説明は繰り返さない。
【０１００】
（実施の形態６）
図２４は、実施の形態６に係るバックライトユニット３０の断面図である。図２４に示すように、本実施の形態に係るバックライトユニットは、実施の形態５の更なる変形例であって、上部フレーム５００の側部５１０に下部フレーム４００の側壁４１０に向かう突起部５３０が形成されている点で、本実施の形態５に係るバックライトユニット３０と構成が異なる。
【０１０１】
たとえば突起部５３０は、上部フレームに対して、絞り加工やハーフカット加工を施すことにより形成することができる。
【０１０２】
上部フレーム５００に突起部５３０を設けることで、実施の形態５と比較して、反射シート３００の固定を強固にすることができる。
【０１０３】
なお、上記以外の事項については、実施の形態５と同様であるので、詳細な説明は繰り返さない。
【０１０４】
（実施の形態７）
図２５は、実施の形態７に係る反射シート３００の展開図である。本実施の形態に係る反射シート３００は、第３部分３３０の略中央から第３部分３３０の外側へ突出するように第５部分３５０が形成されている点で、実施の形態１と構成が異なる。第３部分３３０と第５部分３５０との境界には、第４折り曲げ部３４５が形成される。
【０１０５】
図２６は、図２５に示す反射シート３００を折り曲げた後の状態の平面図である。図２６に示すように、平面視において、第１部分３１０の短辺側の両側に第３部分３３０が隣接している。第３部分３３０は略中央に凹部３５１を有する。凹部３５１において、第５部分３５０の一部が第３部分３３０から切り離される。
【０１０６】
図２７は、本実施の形態７に係るバックライトユニット３０の断面図であり、図２６のＸＸＶII−ＸＸＶIIに対応する断面図である。図２７に示すように、実施の形態７に係るバックライトユニット３０では、反射シート３００は、第４折り曲げ部３４５で下部フレーム４００の側壁４１０に略平行になるように折り曲げられ、第５部分３５０が、下部フレーム４００の側壁４１０の内側に当接する。隙間７１０が、上部フレーム５００と下部フレーム４００の側壁４１０との間に形成される。
【０１０７】
第５部分３５０を下部フレーム４００の側壁４１０の内側に当接させることで、バックライトユニットの組み立て時に、反射シート３００の位置決めを容易に行うことができる。これにより、組み立て作業効率を改善することができる。
【０１０８】
なお、上記以外の事項については、実施の形態１と同様であるので、詳細な説明は繰り返さない。
【産業上の利用可能性】
【０１０９】
本発明は、バックライトユニットおよび液晶表示装置に適用することができる。
【符号の説明】
【０１１０】
１０  液晶表示装置、２０  筐体、３０  バックライトユニット、４０  液晶表示パネル、４１  基板、４２  対向基板、５０，５２０，２５２０  窓部、６０，４００，５００，１５００，２５００，３５００，４５００  上部フレーム、７０，４００，１４００，２４００，３４００，４４００  下部フレーム、１００  光源、２００，１２００，２２００，３２００，４２００  導光板、２１０，１２１０，２２１０，３２１０，４２１０  下面、２２０，１２２０，２２２０，３２２０，４２２０  側面、２３０，１２３０，２２３０，３２３０，４２３０  上面、３００，１３００，２３００，３３００，４３００  反射シート、３１０，１３１０，３３１０，４３１０  第１部分、３１５，１３１５  第１折り曲げ部、３２５，１３２５  第２折り曲げ部、３３５  第３折り曲げ部、３４５  第４折り曲げ部、３２０，１３２０，３３２０，４３２０  第２部分、３３０，１３３０，４３３０，４４３０  第３部分、３３１  突出部、３４０  第４部分、３５０  第５部分、３５１  凹部、４１０，１４１０，２４１０，３４１０，４４１０  側壁、５１０，１５１０，２５１０，３５１０，４５１０  側部、５３０  突起部、６００，１６００，２６００，３６００，４６００  光学シート、６１０，１６１０，２６１０，３６１０，４６１０  拡散シート、６２０，６３０，１６２０，１６３０，２６２０，２６３０，３６２０，３６３０，４６２０，４６３０  プリズムシート、７００，７１０，３９００，４９００  隙間、８００，２８００，２８１０，２８２０，３８００，４８００  異物、２４４０  穴部。
【図１】
2013239335.tif 000003
【図２】
2013239335.tif 000004
【図３】
2013239335.tif 000005
【図４】
2013239335.tif 000006
【図５】
2013239335.tif 000007
【図６】
2013239335.tif 000008
【図７】
2013239335.tif 000009
【図８】
2013239335.tif 000010
【図９】
2013239335.tif 000011
【図１０】
2013239335.tif 000012
【図１１】
2013239335.tif 000013
【図１２】
2013239335.tif 000014
【図１３】
2013239335.tif 000015
【図１４】
2013239335.tif 000016
【図１５】
2013239335.tif 000017
【図１６】
2013239335.tif 000018
【図１７】
2013239335.tif 000019
【図１８】
2013239335.tif 000020
【図１９】
2013239335.tif 000021
【図２０】
2013239335.tif 000022
【図２１】
2013239335.tif 000023
【図２２】
2013239335.tif 000024
【図２３】
2013239335.tif 000025
【図２４】
2013239335.tif 000026
【図２５】
2013239335.tif 000027
【図２６】
2013239335.tif 000028
【図２７】
2013239335.tif 000029